(57)【特許請求の範囲】
【請求項１】
便器本体の後部上面に固定されて便器洗浄水を貯留するタンクと、
前記タンクの周囲を覆うとともに、その上面側に、蓋部材によって開閉される開口部が設けられたタンクカバーと、
前記タンクカバーの前面に取り付けられる背もたれ部材と、
前記タンクカバーの上面のうち前記開口部の前側に設けられ、前記背もたれ部材が覆い被さる部分と、
を備え、
前記背もたれ部材が、前記タンクカバーの両側面に被さる側面被覆部を有し、
前記側面被覆部の後端が、前記タンクの後端より前方に位置する便器装置。
【請求項２】
前記タンクカバーの上面が、後ろ下がりの傾斜面とされている請求項１に記載の便器装置。
【請求項３】
前記タンクカバーの側面から前記背もたれ部材よりも前方に延出する肘掛部材を備えている請求項１または請求項２に記載の便器装置。
【請求項４】
前記背もたれ部材が、前記タンクカバーの上面に被さる上面被覆部を有し、
前記上面被覆部の後端縁よりも前記蓋部材の前端縁が後方にずれた位置に配されている請求項１ないし請求項３のいずれか一項に記載の便器装置。
【請求項５】
前記背もたれ部材が、前記タンクカバーの上面に被さる上面被覆部を有し、
前記上面被覆部が、前記蓋部材の開閉の際に弾性変形しやすい弾性部材とされている請求項１ないし請求項４のいずれか一項に記載の便器装置。
【発明の詳細な説明】
【技術分野】
【０００１】
本発明は、便器装置に関する。
【背景技術】
【０００２】
従来、用便時に、使用者の背中をもたせかけることが可能な背もたれ部材が備えられた便器装置が知られている。例えば下記特許文献１に記載の便器装置は、ロータンクの上部に、背もたれ部材が取り付けられている。ロータンクは、背もたれ部材によって隠され、全体としてすっきりとした見た目になっている。
【先行技術文献】
【特許文献】
【０００３】
【特許文献１】実開平０５−４８８００
【発明の概要】
【発明が解決しようとする課題】
【０００４】
しかしながら、上記のような構成の便器装置は、背もたれ部材を取り付けたままでロータンクの蓋を開けることが難しいという問題があった。
【０００５】
本発明は上記のような事情に基づいて完成されたものであって、背もたれ部材を取り付けたまま、蓋部材を開けることが可能な便器装置を提供することを目的とする。
【課題を解決するための手段】
【０００６】
本発明の便器装置は、便器本体の後部上面に固定されて便器洗浄水を貯留するタンクと、前記タンクの周囲を覆うとともに、その上面側に、蓋部材によって開閉される開口部が設けられたタンクカバーと、前記タンクカバーの前面に取り付けられる背もたれ部材と、前記タンクカバーの上面のうち前記開口部の前側に設けられ、前記背もたれ部材が覆い被さる部分と、を備え、前記背もたれ部材が、前記タンクカバーの両側面に被さる側面被覆部を有し、前記側面被覆部の後端が、前記タンクの後端より前方に位置するものである。
【発明の効果】
【０００７】
本発明によれば、背もたれ部材が覆い被さるのは、タンクカバーの上面のうち開口部よりも前側に設けられた部分であるから、背もたれ部材を取り付けたまま、蓋部材を開けることができる。
また、前記背もたれ部材が、前記タンクカバーの両側面に被さる側面被覆部を備えている。このような構成によれば、正面側からタンクカバーの側面が見えにくいから、よりデザイン性に優れたものとすることができる。
【図面の簡単な説明】
【０００８】
【図１】本実施例における便器装置であって、便器本体に固定された状態を表す斜視図
【図２】便器本体に固定された状態の便器装置を表す正面図
【図３】便器本体に固定された状態の便器装置を表す一部拡大断面図
【図４】便器本体に固定された状態の便器装置を表す平面図
【図５】便器本体に固定された状態の便器装置の後面側を表す斜視図
【図６】便器装置を表す分解斜視図
【図７】背もたれ部材の後面側を表す斜視図
【図８】蓋部材を取り外した状態の便器装置を表す平面図
【発明を実施するための形態】
【０００９】
本発明の好ましい形態を以下に示す。
本発明の便器装置は、前記タンクカバーの上面が、後ろ下がりの傾斜面とされているものとしてもよい。このような構成によれば、正面側からタンクカバーの上面が見えにくいから、よりデザイン性に優れたものとすることができる。
【００１１】
また、本発明の便器装置は、前記タンクカバーの側面から前記背もたれ部材よりも前方に延出する肘掛部材を備えているものとしてもよい。このような構成によれば、正面側から肘掛部材の根元部分が見えにくいから、肘掛部材付きの便器装置をデザイン性に優れたものとすることができる。
【００１２】
また、本発明の便器装置は、前記背もたれ部材が、前記タンクカバーの上面に被さる上面被覆部を有し、前記上面被覆部の後端縁よりも前記蓋部材の前端縁が後方にずれた位置に配されているものとしてもよい。このような構成によれば、上面被覆部をずらさなくても、蓋部材の取り付けおよび取り外し作業を行うことができる。
【００１３】
また、本発明の便器装置は、前記背もたれ部材が、前記タンクカバーの上面に被さる上面被覆部を有し、前記上面被覆部が、前記蓋部材の開閉の際に弾性変形しやすい弾性部材とされているものとしてもよい。このような構成によれば、蓋部材の取り付けおよび取り外しの際に、上面被覆部を容易に変形することができるから、蓋部材の取り付けおよび取り外し作業を容易に行うことができる。
【００１４】
＜実施例＞
以下、本発明を具体化した一実施例について、図１〜図８を参照しつつ詳細に説明する。
本実施例における便器装置１は、便器本体２に固定されるものであり、洗浄タンク１０と、洗浄タンク１０に固定される背もたれ部材５０とを備えている。便器本体２は、便鉢部３を有し、便鉢部３の上面には、合成樹脂製の便座４が備えられている。便座４は、倒伏状態と起立状態との間を回動可能とされている。
【００１５】
洗浄タンク１０は、便器洗浄水を貯留するタンク１１と、タンク１１の周囲を覆うタンクカバー１２とを備えている。タンク１１は、合成樹脂製のベースプレート１３に載置されている。ベースプレート１３には、便器装置１を便器本体２に取り付けるための取付ボルト１４が複数本、下面から下方に突出して備えられている。
【００１６】
タンクカバー１２は、合成樹脂製であって、タンク１１の左右両側および後側を覆う周壁１５を有し、前面側には壁部材３０によって開閉される開口部（以後、前面開口部１６と称する）と、前面開口部１６よりも下側の部分を覆う前壁（図示せず）とを備えている。前壁は、便座４の倒伏時には便座４によって隠され、便座４の起立時には前方へ露出される。前面開口部１６の周縁部には、壁部材３０を取り付ける取付ねじ３２の軸部が螺合するねじ孔３３が複数設けられている。
【００１７】
タンクカバー１２の周壁１５には、肘掛部材２４および操作ハンドル２５の軸部がそれぞれ挿通される開口部（図示せず）が設けられている。肘掛部材２４は、タンクカバー１２の両側面に備えられ、それぞれタンクカバー１２の側面から側方に突出し、背もたれ部材５０よりも前方に延出するものとされている。
【００１８】
また、タンクカバー１２の上面側には、蓋部材１９によって開閉される開口部（以後、上面開口部２１と称する）が設けられている。上面開口部２１は、タンクカバー１２の前端縁に沿って設けられた端縁部２２と周壁１５の上端部とに囲まれてなる。上面開口部２１の前縁は、図８に示すように、左右方向における中心が両端よりも後方に張り出すように湾曲している。また、端縁部２２の上面および周壁１５の上端部は、後下がりに傾斜している。上面開口部２１の周縁部には、蓋部材１９を受ける蓋受け部２３が設けられている。
【００１９】
蓋部材１９は、合成樹脂製であって、上面開口部２１の全体を塞ぐことが可能とされている。蓋部材１９は、上面開口部２１とほぼ同形状をなす蓋板部１９Ａと、蓋板部１９Ａの外周縁に沿って設けられた周板部１９Ｂとを備えている。蓋部材１９は、周板部１９Ｂの下端を蓋受け部２３に受けさせて、上面開口部２１に被せ付けられる。タンクカバー１２に蓋部材１９を取り付けた状態では、図３に示すように、端縁部２２の上面の後側に蓋板部１９Ａがほぼ段差なく連なり、また周壁１５の上側に周板部１９Ｂがほぼ段差なく連なって配される。そして、タンクカバー１２の上面は、その略全体が前端から後端に向かって次第に下がる傾斜面となる。
【００２０】
また、タンクカバー１２の周壁１５および蓋部材１９の後部は、図４に示すように、その左右方向における両端部に、円弧形状をなすように湾曲した丸み部１７が形成されている。タンクカバー１２は、全体として前端よりも後端において左右方向の寸法が若干小さくなる形状をなしている。
【００２１】
タンクカバー１２には、前面開口部１６を閉鎖するように壁部材３０が取り付けられている。壁部材３０は、合成樹脂製であって、前面開口部１６の全体を覆うことが可能な略方形の薄板状をなし、前面には、補強リブ３１が縦横に形成されている（図６参照）。
【００２２】
壁部材３０は、上下方向における中心よりも若干下側寄りの位置を境にして、上側（以後、壁部材上部３０Ａと称する）と下側（以後、壁部材下部３０Ｂと称する）とで勾配が異なるものとされている。壁部材３０がタンクカバー１２に取り付けられた状態では、壁部材下部３０Ｂはほぼ垂直に立って配され、壁部材上部３０Ａは後ろ上がりに傾斜した姿勢になる。また、壁部材下部３０Ｂの下端部は、便座４の後側に入り込んだ状態になる。
【００２３】
壁部材３０は、図６に示すように、複数の取付ねじ３２によってタンクカバー１２および後述するフレーム４０に固定される。
壁部材３０には、取付ねじ３２によってねじ止めされるねじ止め部３４が複数箇所に設けられている。各ねじ止め部３４には、取付ねじ３２の頭部が収容される凹部３５が凹み形成されるとともに、取付ねじ３２の軸部を挿通可能な挿通孔３６が貫通形成されている。また、壁部材３０には、後述する背もたれ部材５０の係止部５３が係止可能な係止受け部３７が設けられている。
【００２４】
壁部材３０は、フレーム４０に取り付けられている。フレーム４０は、タンクカバー１２内に配されて便器本体２に固定されるものである。フレーム４０は、金属製であって、便器本体２の後部上面に載置される載置面部４１と、載置面部４１の左右両端部から上方に立ち上がる左右一対の縦フレーム４２と、左右一対の縦フレーム４２の間に掛け渡された上下一対の横フレーム４３とを備えている。また、フレーム４０には、壁部材３０を取り付ける取付ねじ３２の軸部が螺合するねじ孔３３が設けられている。
【００２５】
載置面部４１は板状をなし、その上面にベースプレート１３が重ねられる。また、載置面部４１には、ベースプレート１３に備えられた取付ボルト１４が下方へ貫通可能な貫通孔（図示せず）が形成されている。載置面部４１を貫通した取付ボルト１４は、便器本体２の後部上面に設けられた固定孔（図示せず）にそれぞれ挿通され、下方からナットが締め付けられる。これにより、便器装置１が便器本体２に固定される。
【００２６】
左右一対の縦フレーム４２は、載置面部４１の左右両端部に接合されている。一対の縦フレーム４２は、便器装置１が便器本体２に固定された状態では、便器本体２の幅方向における両端部に配され、また前後方向においてはほぼ同じ位置に配される。一対の縦フレーム４２には、肘掛部材２４が固定される肘掛固定部４４が設けられている。
【００２７】
横フレーム４３は、縦フレーム４２の上端部および中間部に連結されている。中間部の横フレーム４３の左右方向における両端部には、便座４を回動自在に軸支する回動装置が固定される垂下片４５が垂下されている。
【００２８】
背もたれ部材５０は、壁部材３０の前面側に固定される。背もたれ部材５０は、後面に設けられた複数の係止部５３が壁部材３０の係止受け部３７にそれぞれ係止することにより、壁部材３０の前面に保持される。また、背もたれ部材５０は、互いに係止した係止部５３および係止受け部３７のうち上面開口部２１から露出されているものに、上方から固定ねじ５４を螺合することにより、壁部材３０にねじ止めされて固定される（図８参照）。
【００２９】
背もたれ部材５０は、弾性材料によって、全体として所定の厚さ寸法を有する略方形の厚板状に形成され、クッション性を有するものとされている。背もたれ部材５０は、正面から見ると壁部材３０よりも若干大きい幅寸法を備えた横方向に長い長方形状をなし、その下端は、便座４の上面に近接して配される。
【００３０】
背もたれ部材５０は、タンクカバー１２の前面の略全体を覆うことが可能とされ、正面側から見ると、図２に示すように、背もたれ部材５０によってタンクカバー１２の全体が隠されている。背もたれ部材５０の前面は、図４に示すように、左右方向における両端部が中央部よりも若干前方に位置するように緩く湾曲した湾曲面とされている。また、背もたれ部材５０は、壁部材３０同様、上下方向における中心よりも若干下側寄りの位置を境にして、上側（以後、背もたれ上部５０Ａと称する）と下側（以後、背もたれ下部５０Ｂと称する）とで勾配が異なるものとされている。背もたれ部材５０が壁部材３０に取り付けられた状態では、背もたれ下部５０Ｂは壁部材下部３０Ｂの上側部分に沿って配され、背もたれ上部５０Ａは壁部材上部３０Ａの略全体に沿って配される。
【００３１】
背もたれ部材５０は、タンクカバー１２の上面に被さる上面被覆部５１と、タンクカバー１２の両側面に被さる側面被覆部５２とを備えている。上面被覆部５１と側面被覆部５２とによって壁部材３０は完全に覆われる。
【００３２】
上面被覆部５１は、図７に示すように、背もたれ部材５０の上端縁に沿って、後方に突出して形成されている。上面被覆部５１は、背もたれ部材５０の左右方向の全幅にわたって形成されている。上面被覆部５１の後端縁は、図８に示すように、背もたれ部材５０の前面と同様に湾曲した形状とされている。また、上面被覆部５１および側面被覆部５２を含む背もたれ部材５０の全体が弾性材料によって形成されているため、上面被覆部５１は、蓋部材１９の開閉の際に弾性変形しやすい弾性部材となっている。すなわち上面被覆部５１は、仮に一部が蓋部材１９に被さっていたとしても、蓋部材１９の取り外しの際には、蓋部材１９を取り外すことが可能な程度に弾性変形する。また、上面被覆部５１は、蓋部材１９を取り外す際に、蓋部材１９や作業者の手指等が接触した場合に、蓋部材１９の取り外し作業の邪魔にならないように弾性変形する。
【００３３】
上面被覆部５１は、図８に示すように、タンクカバー１２の上面のうち上面開口部２１よりも前側に位置する部分（端縁部２２）の上面に沿って配され、上面開口部２１までは被さらないものとされている。上面被覆部５１の後端縁は、蓋部材１９の前端縁よりもわずかに前方にずれた位置に配される。
【００３４】
側面被覆部５２は、図７に示すように、背もたれ部材５０の左右方向における両端縁に沿って、後方に突出して設けられている。側面被覆部５２は、背もたれ部材５０の上下方向における全体にわたって形成されている。側面被覆部５２は、タンクカバー１２の側面のうち前端縁部に被さるようになっている。側面被覆部５２の後端縁は、図３に示すように、背もたれ部材５０の前面と同様に傾斜している。側面被覆部５２は、上面被覆部５１の左右方向における端部に連なっている。側面被覆部５２の厚さ寸法（左右方向の寸法）は、上面被覆部５１の厚さ寸法（上下方向の寸法）よりも小さくされている。側面被覆部５２によって、肘掛部材２４の根元部分が隠され、正面側からは見えないようになっている。
【００３５】
次に、本実施例の便器装置１における蓋部材１９の取り付けおよび取り外し作業について説明する。
蓋部材１９をタンクカバー１２の上面に取り付けるには、蓋部材１９を上面開口部２１に整合する向きにして、周板部１９Ｂを上面開口部２１の周囲に設けられた蓋受け部２３に嵌め込む。この際、蓋受け部２３の全体が上面被覆部５１に覆われないで露出しているため、背もたれ部材５０を取り外さなくても、蓋部材１９を取り付けることができる。蓋部材１９が取り付けられることにより、上面開口部２１の全体が閉じられた状態になる。
【００３６】
一方、蓋部材１９をタンクカバー１２の上面から取り外すには、蓋板部１９Ａおよび周板部１９Ｂに指を添えて、蓋部材１９を上方に持ち上げるようにする。この際、上面被覆部５１が蓋部材１９に被さっていないから、背もたれ部材５０を取り外さなくても、蓋部材１９を取り外すことができる。蓋部材１９が取り外されることにより、上面開口部２１の全体が開いた状態になる。
【００３７】
なお、蓋部材１９の取り付けまたは取り外し作業において、蓋部材１９や手指等が上面被覆部５１に接触した場合には、上面被覆部５１が比較的容易に変形するから、蓋部材１９が上面被覆部５１に引っかかる等によって作業がしにくくなることを防ぐことができる。
【００３８】
次に、上記のように構成された実施例の作用および効果について説明する。
本実施例における便器装置１は、便器洗浄水を貯留するタンク１１の周囲を覆うタンクカバー１２を備え、タンクカバー１２の上面側に、蓋部材１９によって開閉される上面開口部２１が設けられており、タンクカバー１２の前面に、背もたれ部材５０が取り付けられる。そして、背もたれ部材５０には、タンクカバー１２の上面のうち上面開口部２１よりも前側の部分に被さる上面被覆部５１が設けられている。この構成によれば、背もたれ部材５０の上面被覆部５１によってタンクカバー１２の上面の前端縁部が覆われてすっきりとしたデザインになるから、デザイン性に優れたものとすることができる。また、上面被覆部５１が被さるのは、上面開口部２１よりも前側の部分であるから、背もたれ部材５０を取り付けたまま、上面開口部２１を全開することができる。
【００３９】
また、タンクカバー１２の上面が、後ろ下がりの傾斜面とされている。この構成によれば、正面側からタンクカバー１２の上面が見えにくいから、よりデザイン性に優れたものとすることができる。
【００４０】
また、背もたれ部材５０が、タンクカバー１２の両側面に被さる側面被覆部５２を備えている。この構成によれば、正面側からタンクカバー１２の側面が見えにくいから、よりデザイン性に優れたものとすることができる。
【００４１】
また、タンクカバー１２の側面から背もたれ部材５０よりも前方に延出する肘掛部材２４を備えている。この構成によれば、正面側から肘掛部材２４の根元部分が見えにくいから、肘掛部材付きの便器装置１をデザイン性に優れたものとすることができる。
【００４２】
また、上面被覆部５１の後端縁よりも蓋部材１９の前端縁が後方にずれた位置に配されている。この構成によれば、上面被覆部５１をずらさなくても、蓋部材１９の取り付けおよび取り外し作業を行うことができる。
【００４３】
また、上面被覆部５１が、弾性変形しやすい弾性部材とされている。この構成によれば、蓋部材１９の取り付けおよび取り外しの際に、上面被覆部５１を容易に変形することができるから、蓋部材１９の取り付けおよび取り外し作業を容易に行うことができる。
＜他の実施例＞
本発明は上記記述及び図面によって説明した実施例に限定されるものではなく、例えば次のような実施例も本発明の技術的範囲に含まれる。
（１）上記実施例では、背もたれ部材５０がタンクカバー１２の前面開口部１６を覆う壁部材３０に取り付けられているが、これに限らず、例えば前面開口部が形成されていないタンクカバーに、背もたれ部材を直接取り付けるものとしてもよい。
（２）上記実施例では、タンクカバー１２の上面が、後ろ下がりの傾斜面とされているが、これに限らず、例えばタンクカバーの上面は水平方向にフラットな面であってもよい。
（３）上記実施例では、上面被覆部５１が、背もたれ部材５０の上端縁に沿って設けられているが、これに限らず、例えば背もたれ部材の高さ寸法をタンクカバーの上面よりも上方に至るものとし、上面被覆部を背もたれ部材の上端縁よりも下がった位置に設けても良い。
（４）上記実施例では、側面被覆部５２が、タンクカバー１２の側面のうち前端縁部に被さるようになっているが、これに限らず、例えば側面被覆部が、タンクカバーの側面により広い範囲で被さるようにしてもよい。
（５）上記実施例では、タンクカバー１２の左右両側に肘掛部材２４が備えられているが、これに限らず、例えば肘掛部材は左右両側のうち片側のみに備えてもよいし、また肘掛部材を備えなくてもよい。
（６）上記実施例では、上面被覆部５１の後端縁よりも蓋部材１９の前端縁が後方にずれた位置に配されているが、これに限らず、上面被覆部が蓋部材の一部に被さるようにしてもよい。
（７）上記実施例では、上面被覆部５１が、弾性変形しやすい材料によって形成された弾性部材とされているが、これに限らず、例えば上面被覆部を、弾性変形しにくい材料で形成してもよく、また形状を工夫することにより弾性変形しやすくしてもよい。
（８）上記実施例では、上面被覆部５１は、上面開口部２１までは被さらないものとされているが、これに限らず、上面被覆部は、上面開口部を若干覆ってもよい。
【符号の説明】
【００４４】
１…便器装置
２…便器本体
１１…タンク
１２…タンクカバー
１９…蓋部材
２１…上面開口部
２２…端縁部（タンクカバーの上面のうち前記開口部の前側に設けられた部分）
２４…肘掛部材
５０…背もたれ部材
５１…上面被覆部
５２…側面被覆部
【図１】
0006509067.tif 000002
【図２】
0006509067.tif 000003
【図３】
0006509067.tif 000004
【図４】
0006509067.tif 000005
【図５】
0006509067.tif 000006
【図６】
0006509067.tif 000007
【図７】
0006509067.tif 000008
【図８】
0006509067.tif 000009